(57)【要約】【解決手段】  送配電線路に接続される開閉器が存する第１地点に設置され、電波で時刻が校正される第１時計装置から所定の時刻に送信される第１信号に基づいて、前記開閉器に開閉信号を出力する受信制御装置と、前記開閉器の開路動作または閉路動作により前記送配電線路を通じて開閉サージが流入する制御所が存する第２地点に設置され、電波で時刻が校正される第２時計装置から、前記所定の時刻に第２信号を受信する遅延演算装置と、を備え、前記遅延演算装置は、前記所定の時刻に、前記開閉器が前記開閉信号を受信してから開路動作または閉路動作を完了するまでに要する遅延時間を加算して、前記開閉サージが前記第２地点に到達する時刻を示す到達時刻を算出する到達時刻算出部と、測定装置が前記第２地点に到達する前記開閉サージを前記到達時刻に測定できるように、前記測定装置に測定開始を示す開始信号を出力する信号出力部と、を有する。
2020044518.tif 000002
【特許請求の範囲】
【請求項１】
送配電線路に接続される開閉器が存する第１地点に設置され、電波で時刻が校正される第１時計装置から所定の時刻に送信される第１信号に基づいて、前記開閉器に開閉信号を出力する受信制御装置と、
前記開閉器の開路動作または閉路動作により前記送配電線路を通じて開閉サージが流入する制御所が存する第２地点に設置され、電波で時刻が校正される第２時計装置から、前記所定の時刻に第２信号を受信する遅延演算装置と、
を備え、
前記遅延演算装置は、
前記所定の時刻に、前記開閉器が前記開閉信号を受信してから開路動作または閉路動作を完了するまでに要する遅延時間を加算して、前記開閉サージが前記第２地点に到達する時刻を示す到達時刻を算出する到達時刻算出部と、
測定装置が前記第２地点に到達する前記開閉サージを前記到達時刻に測定できるように、前記測定装置に測定開始を示す開始信号を出力する信号出力部と、
を有する
ことを特徴とする同期システム。
【請求項２】
前記第１地点に設置され、時刻を電波で校正する機能を有し、前記第１信号を出力する第１時計装置と、
前記第２地点に設置され、時刻を電波で校正する機能を有し、前記第２信号を出力する第２時計装置と、
をさらに備えることを特徴とする請求項１に記載の同期システム。
【請求項３】
前記第１時計装置および前記第２時計装置は、電波時計である
ことを特徴とする請求項２に記載の同期システム。
【請求項４】
前記第１時計装置および前記第２時計装置は、ＧＰＳ時計である
ことを特徴とする請求項２に記載の同期システム。
【請求項５】
請求項１乃至請求項４の何れか一項に記載の同期システムと、
前記同期システムの前記信号出力部から出力される前記開始信号を受信し、前記開始信号に基づいて前記第２地点における前記開閉サージを測定する測定装置と、
を備えることを特徴とする測定同期システム。
【請求項６】
前記測定装置は、メモリーハイコーダである
ことを特徴とする請求項５に記載の測定同期システム。
【請求項７】
前記測定装置は、デジタルオシロスコープである
ことを特徴とする請求項５に記載の測定同期システム。
【請求項８】
前記測定装置は、アナログオシロスコープである
ことを特徴とする請求項５に記載の測定同期システム。
【請求項９】
送配電線路に接続される開閉器が存する第１地点に設置される第１コンピュータが、
電波で校正される第１時計装置から所定の時刻に送信される第１信号に基づいて、前記開閉器に開閉信号を出力する受信制御ステップ
を実行し、
前記開閉器の開路動作または閉路動作により前記送配電線路を通じて開閉サージが流入する制御所が存する第２地点に設置される第２コンピュータが、
電波で校正される第２時計装置から、前記所定の時刻に第２信号を受信する受信ステップと、
前記所定の時刻に、前記開閉器が前記開閉信号を受信してから開路動作または閉路動作を完了するまでに要する遅延時間を加算して、前記開閉サージが前記第２地点に到達する時刻を示す到達時刻を算出する到達時刻算出ステップと、
測定装置が前記第２地点に到達する前記開閉サージを前記到達時刻に測定できるように、前記測定装置に測定開始を示す開始信号を出力する信号出力ステップと、
を実行することを特徴とする同期方法。
【請求項１０】
コンピュータに、
電波で校正される第１時計装置から所定の時刻に送信される第１信号に基づいて、前記開閉器に開閉信号を出力する受信制御機能と、
電波で校正される第２時計装置から、前記所定の時刻に第２信号を受信する受信機能と、
前記所定の時刻に、前記開閉器が前記開閉信号を受信してから開路動作または閉路動作を完了するまでに要する遅延時間を加算して、前記開閉サージが前記第２地点に到達する時刻を示す到達時刻を算出する到達時刻算出機能と、
測定装置が前記第２地点に到達する前記開閉サージを前記到達時刻に測定できるように、前記測定装置に測定開始を示す開始信号を出力する信号出力機能と、
を実現させるためのプログラム。
【発明の詳細な説明】
【技術分野】
【０００１】
本発明は、同期システム、測定同期システム、同期方法、プログラムに関する。
【背景技術】
【０００２】
例えば特許文献１に開示されているように、同期した時刻において複数の測定機器のそれぞれから測定データを取得する測位システムが知られている。
【先行技術文献】
【特許文献】
【０００３】
【特許文献１】特開２０１５−１６２１０８号公報
【発明の概要】
【発明が解決しようとする課題】
【０００４】
特許文献１に開示されたシステムは、時刻を同期するための時刻情報を送信することで、複数のフィールド機器を同期させ、同時刻における測定データを用いて、騒音や設備不良などの異常またはその異常が発生した箇所などの推定を行なうものである。このシステムでは、所定の装置から時刻を同期させるための情報を送信して、夫々のフィールド機器の時刻を同期させている。
ところで、変電所等の電気所に設けられた開閉器の開閉動作で生じる開閉サージによる遠隔の受電場所への影響を調査するために、該受電場所で開閉サージを測定することが行われている。この際に、開閉器に開閉指令を与えてから開閉サージが発生するまでの間、開閉器の機械動作による時間遅れが生じる。このため、開閉サージの測定に特許文献１に記載されたシステムを適用して電気所と受電場所での時刻を同期したとしても、上記の時間遅れが考慮されないため、測定場所において開閉サージを見落とすおそれがある。
【課題を解決するための手段】
【０００５】
前述した課題を解決する主たる本発明は、送配電線路に接続される開閉器を有する電気所が存する第１地点に設置され、電波で時刻が校正される第１時計装置から所定の時刻に送信される第１信号に基づいて、前記開閉器に開閉信号を出力する受信制御装置と、前記開閉器の開閉動作により前記送配電線路を通じて開閉サージが流入する制御所が存する第２地点に設置され、電波で時刻が校正される第２時計装置から、前記所定の時刻に第２信号を受信する遅延演算装置と、を備え、前記遅延演算装置は、前記所定の時刻に、前記開閉器が前記開閉信号を受信してから開路動作または閉路動作を完了するまでに要する遅延時間を加算して、前記開閉サージが前記第２地点に到達する時刻を示す到達時刻を算出する到達時刻算出部と、測定装置が前記第２地点に到達する前記開閉サージを前記到達時刻に測定できるように、前記測定装置に測定開始を示す開始信号を出力する信号出力部と、を有する。
本発明の他の特徴については、添付図面および本明細書の記載により明らかとなる。
【発明の効果】
【０００６】
本発明によれば、所定の地点で発生する開閉サージを異なる地点で測定するために、測定装置に適切な測定タイミングで測定させることができる。
【図面の簡単な説明】
【０００７】
【図１】本実施形態に係る測定同期システムを示す構成図である。
【図２】本実施形態に係る受信制御装置のハードウェア構成を示す図である。
【図３】本実施形態に係る受信制御装置のソフトウェア構成を示す図である。
【図４】本実施形態に係る遅延演算装置のハードウェア構成を示す図である。
【図５】本実施形態に係る遅延演算装置のソフトウェア構成を示す図である。
【図６】本実施形態に係る遅延時間の一例を示すタイムチャートである。
【図７】本実施形態に係る測定同期システムの処理手順を示すフロー図である。
【発明を実施するための形態】
【０００８】
本明細書および添付図面の記載により、少なくとも以下の事項が明らかとなる。以下の説明において、同一符号を付した部分は同一の要素を表し、その基本的な構成および動作は同様であるものとする。
【０００９】
＝＝＝測定同期システム１０＝＝＝
測定同期システム１０は、電気所１の所定地点（以下「第１地点」と称する。）に設けられた開閉器の開閉動作で発生する開閉サージを、制御所４の所定地点（以下「第２地点」と称する。）で確実に測定するためのシステムである。電気所１は、例えば変電所や開閉所であり、電力設備２の一部に開閉器３を有する施設である。開閉器３は、送配電線路６を入切するための接点部を有する機器であり、例えば遮断器や断路器などである。制御所４は、例えば光回線などが開通していない山中に設けられる低圧設備５を有する施設である。第１地点では、開閉器３を開閉動作させるための開閉信号を出力してから、開閉器３が動作を完了するまでの間に、開閉器３の機械的動作による遅延時間が生じる。該開閉器３の開閉動作による開閉サージを測定する第２地点では、上述した遅延時間が発生することにより、測定装置１５０で測定可能な時間幅を超えてしまい、開閉サージを測定できないという事象が生じていた。
【００１０】
そこで、測定同期システム１０では、第１地点と第２地点に電波で時刻が校正される時計装置を設けて、第１地点と第２地点とで時刻を同期させるとともに、開閉器３の機械的動作による遅延時間を考慮し、第２地点の測定装置１５０で開閉サージを測定する。これにより、測定装置１５０は、その測定可能な時間幅内で開閉サージを測定することができる。例えば、測定装置１５０は、メモリ容量や測定レンジによって異なるが、測定可能な時間幅が「４秒」である場合、その時間幅内で開閉サージを測定しなければならない。
【００１１】
図１は、測定同期システム１０を示す構成図である。図１に示すように、測定同期システム１０は、第１時計装置１１０と、第２時計装置１２０と、受信制御装置１３０と、遅延演算装置１４０と、測定装置１５０と、を含んで構成されている。ここで、第１時計装置１１０、第２時計装置１２０、受信制御装置１３０および遅延演算装置１４０で構成されるシステムを「同期システム１００」として以下説明する。
【００１２】
＝＝同期システム１００＝＝
同期システム１００は、第１・第２時計装置１１０，１２０から所定の信号を受信し、開閉器３の機械的動作による遅延時間を考慮することで、測定装置１５０に開閉サージを確実に測定させるためのシステムである。図１に示すように、同期システム１００は、第１時計装置１１０と、第２時計装置１２０と、受信制御装置１３０と、遅延演算装置１４０と、を含んで構成されている。以下、それぞれの装置について説明する。
【００１３】
第１時計装置１１０及び第２時計装置１２０は、それぞれ第１地点及び第２地点に設置され、電波で時刻が校正される時計装置である。具体的には、電波時計、ＧＰＳ時計または携帯電話などである。第１・第２時計装置１１０，１２０は、所定の時刻に所定の信号を出力する機能を有する。所定の信号とは、例えばアラーム信号（ＴＴＬ信号）である。図１に示すように、第１・第２時計装置１１０，１２０は、それぞれ受信制御装置１３０及び遅延演算装置１４０と通信可能に接続され、受信制御装置１３０及び遅延演算装置１４０にそれぞれ所定の信号を出力する。
【００１４】
なお、第１・第２時計装置１１０，１２０と受信制御装置１３０及び遅延演算装置１４０との接続は、無線または有線のいずれでもよく、特に限定されない。これにより、受信制御装置１３０は、所定の信号に基づいて所定の時刻に開閉信号を出力することができ、また、後述するように、遅延演算装置１４０は、所定の信号に基づいて、所定の時刻に遅延時間を加えた時刻に、開始信号を出力することができる。
【００１５】
受信制御装置１３０は、第１地点に設置され、第１時計装置１１０から所定の時刻に受信する第１信号に基づいて、開閉器３に対して開閉信号を出力する装置である。
【００１６】
図２は、受信制御装置１３０のハードウェア構成を示す図である。図２に示すように、受信制御装置１３０のハードウェアは、プロセッサ１３１と、メモリ１３２と、記憶装置１３３と、入力装置１３４と、出力装置１３５と、通信装置１３６と、を含んで構成されている。プロセッサ１３１は、例えば、ＭＰＵ、ＣＰＵなどである。メモリ１３２は、例えば、ＲＡＭ、ＲＯＭ、ＮＶＲＡＭなどである。記憶装置１３３は、例えば、ＲＡＭ、ＲＯＭ、ＮＶＲＡＭなどである。入力装置１３４は、ユーザから操作入力を受け付けるユーザインタフェースであり、例えば、操作入力装置（キーボード、マウス、タッチパネル等）、音声入力装置（マイクロフォン等）などである。出力装置１３５は、各種情報をユーザに提供するユーザインタフェースであり、例えば、表示装置（液晶モニタ等）、音声出力装置（スピーカ等）などである。通信装置１３６は、第１時計装置１１０および制御回路に接続するための無線通信または有線通信用のインタフェースである。
【００１７】
図３は、受信制御装置１３０のソフトウェア構成の一例を示す図である。図３に示すように、受信制御装置１３０のソフトウェアは、取得部１３０ａと、第１信号出力部１３０ｂと、の機能部を有する。これらの機能部は、例えば、受信制御装置１３０のプロセッサ１３１がメモリ１３２に格納されているプログラムを読み出して実行することで実現される。なお、これらの機能部は、例えば、ＡＳＩＣなどのハードウェアにより実現されてもよい。また、該プロセッサ１３１が外部記憶媒体に格納されているプログラムを読み出して実行することにより実現されてもよい。
【００１８】
取得部１３０ａは、通信装置１３６を介して、第１時計装置１１０から所定の信号を取得する。
【００１９】
第１信号出力部１３０ｂは、開閉器３を制御する制御回路に対して開閉信号を出力する。ここで、制御回路（不図示）とは、リレーで構成される回路であるか、プログラマブルロジックコントローラで構成される回路であるか、いずれでもよく、その回路構成は特に限定されない。これにより、開閉器３は、制御回路からの動作信号に基づいて、機械的動作を開始する。なお、第１信号出力部１３０ｂから開閉信号を出力してから、開閉器３（開路または閉路）の動作完了までの間の、開閉器３の機械的動作による遅延時間が生じる。
【００２０】
遅延演算装置１４０は、第２地点に設置され、第２時計装置１２０から所定の時刻に送信される第２信号に基づいて、遅延時間を考慮して、測定装置１５０に対して測定開始を示す開始信号を出力する装置である。なお、ここでの所定の時刻とは、第１時計装置１１０が第１信号を出力する時刻と同時刻である。これにより、受信制御装置１３０と遅延演算装置１４０とで、時刻を同期することができる。
【００２１】
図４は、遅延演算装置１４０のハードウェア構成を示す図である。図４に示すように、遅延演算装置１４０のハードウェアは、プロセッサ１４１と、メモリ１４２と、記憶装置１４３と、入力装置１４４と、出力装置１４５と、通信装置１４６と、を含んで構成されている。プロセッサ１４１は、例えば、ＭＰＵ、ＣＰＵなどである。メモリ１４２は、例えば、ＲＡＭ、ＲＯＭ、ＮＶＲＡＭなどである。記憶装置１４３は、例えば、ＲＡＭ、ＲＯＭ、ＮＶＲＡＭなどである。入力装置１４４は、ユーザから操作入力を受け付けるユーザインタフェースであり、例えば、操作入力装置（キーボード、マウス、タッチパネル等）、音声入力装置（マイクロフォン等）などである。出力装置１４５は、各種情報をユーザに提供するユーザインタフェースであり、例えば、表示装置（液晶モニタ等）、音声出力装置（スピーカ等）などである。通信装置１４６は、第２時計装置１２０および測定装置１５０に接続するための無線通信または有線通信用のインタフェースである。
【００２２】
図５は、遅延演算装置１４０のソフトウェア構成の一例を示す図である。図５に示すように、遅延演算装置１４０のソフトウェアは、取得部１４０ａと、到達時刻算出部１４０ｂと、第２信号出力部１４０ｃと、の機能部を有する。これらの機能部は、例えば、遅延演算装置１４０のプロセッサ１４１がメモリ１４２に格納されているプログラムを読み出して実行することで実現される。なお、これらの機能部は、例えば、ＡＳＩＣなどのハードウェアにより実現されてもよい。また、該プロセッサ１４１が外部記憶媒体に格納されているプログラムを読み出して実行することにより実現されてもよい。
【００２３】
取得部１４０ａは、通信装置１４６を介して、第２時計装置１２０から所定の信号を取得する。
【００２４】
到達時刻算出部１４０ｂは、所定の時刻に、開閉器３が開閉信号を受信してから開閉器３が開閉動作を完了するまでに要する遅延時間を加算して、第１地点で発生した開閉サージが第２地点に到達する時刻を示す到達時刻を算出する。ここで、遅延時間について、図６を参照しつつ説明する。図６は、遅延時間（Δｔ）を示すタイムチャートである。図６の上段のグラフは、第１信号に基づいて受信制御装置１３０が開閉器３に対して開閉信号を出力した時点（時刻ａ）を、立ち上がり「ＯＮ」としてプロットしたグラフである。図６の下段のグラフは、開閉信号が出力されてから、開閉器３が開閉動作を完了した時点（時刻ｂ）を、立ち上がり「入」としてプロットしたグラフである。つまり、遅延時間とは、グラフの時刻ｂと時刻ａとの差Δｔである。開閉器３の仕様により遅延時間が異なるため、第１地点の開閉器３の仕様に、固有の遅延時間を対応付けて、記憶装置１４３に予め記録しておく。到達時刻算出部１４０ｂは、所定の時刻に上記で特定された遅延時間を加えて、到達時刻を算出する。
【００２５】
第２信号出力部１４０ｃは、測定装置１５０が開閉サージを到達時刻に測定できるように、測定装置１５０に測定開始を示す開始信号を出力する。第２信号出力部１４０ｃは、測定装置１５０の記憶容量を考慮して、開始信号を出力するタイミングを図る。具体的には、第２信号出力部１４０ｃは、例えば、測定装置１５０の測定可能時間が「４秒」である場合、その測定可能時間内に、測定装置１５０に開閉サージが到達する到達時刻が含まれるように、測定装置１５０に開始信号を出力する。該タイミングは、開閉器３の仕様を考慮して、遅延演算装置１４０に予め設定する。これにより、測定装置１５０は、第１地点で発生した開閉サージを第２地点で確実に測定できる。
【００２６】
なお、同期システム１００は、第１時計装置１１０および第２時計装置１２０を備えていなくてもよい。この場合、測定同期システム１０の受信制御装置１３０および遅延演算装置１４０は、同期システム１００とは別に設置されている時計装置から、第１信号および第２信号を受信するように構成されていればよい。
【００２７】
＝＝測定装置１５０＝＝
測定装置１５０は、第２地点に設置され、遅延演算装置１４０から出力される開始信号に基づいて、開閉サージを測定する装置である。測定装置１５０は、例えば、メモリハイコーダであることが好ましい。メモリハイコーダは、トリガ機能が付いているものが一般的であるため、第２時計装置１２０から出力される第２信号をトリガとして利用することができる。また、測定装置１５０は、開閉サージにより低圧設備５に生じる、音を検知する音検知装置であってもよいし、光を検知する光検知装置であってもよいし、電界強度を計測する電界測定装置であってもよい。つまり、測定装置１５０は、開閉サージを原因として生じる現象を検知する装置であればよい。
【００２８】
なお、測定装置１５０は、デジタルオシロスコープまたはアナログオシロスコープであってもよい。デジタルオシロスコープの場合は、ＤＳＯ（デジタル・ストレージ・オシロスコープ）、ＤＰＯ（デジタル・フォスファ・オシロスコープ）、ＭＳＯ（ミックスド・シグナル・オシロスコープ）、デジタル・サンプリング・オシロスコープのいずれでもよく、特に限定されない。デジタルオシロスコープは、高速現象を観測する点において優れている。
【００２９】
＝＝＝測定同期システム１０の処理手順＝＝＝
図７は、測定同期システム１０の処理手順を示すフロー図である。図７を参照しつつ、測定同期システム１０の処理手順について説明する。なお、以下処理手順においては、第１地点のステップをＳ１０から開始し、第２地点のステップをＳ２０から開始するものとする。
【００３０】
先ず、作業員は、第１地点の第１時計装置１１０の信号出力時刻を設定する。また、作業員は、第２地点の第２時計装置１２０の信号出力時刻を、第１時計装置１１０の信号出力時刻と同じ時刻に設定する。これにより、第１地点と第２地点とで時刻を同期できる。
【００３１】
次に、第１地点における処理手順について説明する。先ず、第１時計装置１１０は、予め設定された所定の時刻に第１信号を受信制御装置１３０に出力する（Ｓ１０）。第１時計装置１１０は、電波時計やＧＰＳ時計であるため、正確な時刻に第１信号を出力できる。次に、受信制御装置１３０は、第１信号を受信する（Ｓ１１）。受信制御装置１３０は、第１信号を受信したことを契機として、開閉器３を制御する制御回路に開閉信号を出力する（Ｓ１２）。制御回路（不図示）は、開閉信号を受信したことを契機として、開閉器３を開閉動作させる（Ｓ１３）。この一連の動作において、開閉信号を出力してから開閉器３の開閉動作完了までの遅延時間が発生する。
【００３２】
次に、第２地点における処理手順について説明する。第２地点での処理手順は、第１地点で発生する遅延時間を考慮して、開閉サージを測定装置１５０で測定するための手順である。先ず、第２時計装置１２０は、第１信号が出力される時刻と同時刻に第２信号を遅延演算装置１４０に出力する（Ｓ２０）。第２時計装置１２０は、第１時計装置１１０と同じく、電波時計やＧＰＳ時計であるため、正確な時刻に第２信号を出力する。次に、遅延演算装置１４０は、第２信号を受信する（Ｓ２１）。遅延演算装置１４０は、第２信号を受信したことを契機として、遅延時間を特定し、第２地点に開閉サージが到達する到達時刻を算出する（Ｓ２２）。到達時刻については、上述したとおりである。遅延演算装置１４０は、到達時刻を考慮して、測定装置１５０に測定開始を示す開始信号を出力する（Ｓ２３）。測定装置１５０は、開始信号を受信したことを契機として、所定の時間継続して回路の電気諸量を測定する（Ｓ２４）。これにより、測定装置１５０は、第１地点で発生し送配電線路６を経由して第２地点に流入する開閉サージを、測定することができる。
【００３３】
＝＝＝まとめ＝＝＝
以上説明したように、本実施形態に係る同期システム１００は、送配電線路６に接続される開閉器３が存する第１地点（電気所１）に設置され、電波で時刻が校正される第１時計装置１１０から所定の時刻に送信される第１信号に基づいて、開閉器３に開閉信号を出力する受信制御装置１３０と、開閉器３の開閉動作により送配電線路６を通じて開閉サージが流入する制御所４が存する第２地点に設置され、電波で時刻が校正される第２時計装置１２０から、所定の時刻に第２信号を受信する遅延演算装置１４０と、を備え、遅延演算装置１４０は、所定の時刻に、開閉器３が開閉信号を受信してから開閉動作を完了するまでに要する遅延時間を加算して、開閉サージが第２地点に到達する時刻を示す到達時刻を算出する到達時刻算出部１４０ｂと、測定装置１５０が第２地点に到達する開閉サージを到達時刻に測定できるように、測定装置１５０に測定開始を示す開始信号を出力する第２信号出力部１４０ｃと、を有する。本実施形態によれば、第１地点で発生する開閉サージを第２地点で測定するにあたり、測定装置１５０に適切な測定タイミングで測定させることができる。
【００３４】
また、本実施形態に係る同期システム１００は、第１地点に設置され、時刻を電波で校正する機能を有し、第１信号を出力する第１時計装置１１０と、第２地点に設置され、時刻を電波で校正する機能を有し、第２信号を出力する第２時計装置１２０と、をさらに備える。本実施形態によれば、同一のシステムに第１時計装置１１０および第２時計装置１２０を組み込むことで、システムとしての一体性を確保でき、汎用性を高めることができる。
【００３５】
また、本実施形態に係る同期システム１００の第１時計装置１１０および第２時計装置１２０は、電波時計またはＧＰＳ時計である。本実施形態によれば、汎用的な時計装置を採用することによりコスト縮減が図れる。
【００３６】
また、本実施形態に係る測定同期システム１０は、同期システム１００と、同期システム１００の第２信号出力部１４０ｃから出力される開始信号を受信し、開始信号に基づいて第２地点における開閉サージを測定する測定装置１５０と、を備える。本実施形態によれば、同一のシステムに測定装置１５０を組み込むことで、システムとしての一体性を確保でき、汎用性を高めることができる。
【００３７】
また、本実施形態に係る測定同期システム１０の測定装置１５０は、メモリーハイコーダ、デジタルオシロスコープまたはアナログオシロスコープである。メモリーハイコーダは、測定対象の種類が多く、トリガ機能を有するため、本システムに親和的である。デジタルオシロスコープは、種類が豊富で汎用性が高いため、設計コストの縮減が図れる。アナログオシロスコープは、過去に多く採用されていた測定装置１５０で構成することにより、システム構築コストの縮減が図れる。
【００３８】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【００３９】
例えば、上記では、第１地点で発生する開閉サージを第２地点の測定装置１５０で測定するための測定同期システム１０について説明したが、これに限定されない。例えば、測定同期システム１０は、第１地点で発生する開閉サージを、第２地点の測定装置１５０および第３地点の測定装置１５０で同様に測定するシステムであってもよい。つまり、第１地点で発生する開閉サージを、複数の地点のそれぞれで測定できるように、第１地点に受信制御装置１３０を設置し、他の複数の地点に遅延演算装置１４０を設置して、それぞれの遅延演算装置１４０は、上述したとおり遅延時間を考慮して到達時刻を算出する。これにより、他の複数の地点の測定装置１５０は、第１地点で発生する開閉サージを測定できる。
【符号の説明】
【００４０】
３  開閉器
６  送配電線路
１０  測定同期システム
１００  同期システム
１１０  第１時計装置
１２０  第２時計装置
１３０  受信制御装置
１４０  遅延演算装置
１４０ｂ  到達時刻算出部
１４０ｃ  第２信号出力部
１５０  測定装置
【図１】
2020044518.tif 000003
【図２】
2020044518.tif 000004
【図３】
2020044518.tif 000005
【図４】
2020044518.tif 000006
【図５】
2020044518.tif 000007
【図６】
2020044518.tif 000008
【図７】
2020044518.tif 000009
【国際調査報告】
2020044518.tif 000010
2020044518.tif 000011
2020044518.tif 000012
2020044518.tif 000013